(57)【要約】      （修正有）【課題】硬貨が所定枚数フィルム包装された棒金を供給するフィルム包装硬貨供給装置に関し、つづら折り状の傾斜部を使用して棒金を供給するに際して次段の傾斜部に滞りなく確実に移行させることを目的とする。【解決手段】複数の傾斜部２１Ａ〜２１Ｄをつづら折り状に多段に配置させ、所定の傾斜部と次段の傾斜部との間にそれぞれ棒金移行部２２−１〜２２−３が配置されるものであり、当該棒金移行部２２−１〜２２−３が、棒金が上段の傾斜部から下段の傾斜部に移行する位置に、当該棒金の当接によって回動自在であり、当該移行時に当該棒金に対して下段方向に加重する重り部２２Ａ−１が設けられた吊架押付部２２Ａ〜２２Ｃを備える構成とする。【選択図】図１
2018097452.tif 000002
【特許請求の範囲】
【請求項１】
硬貨が所定枚数フィルム包装された棒金を次工程に供給するフィルム包装硬貨供給装置であって、
つづら折り状に多段で配置される複数の傾斜部と、
所定の傾斜部と次段の傾斜部との間にそれぞれ配置されるものであり、前記棒金が上段の傾斜部から下段の傾斜部に移行する位置に、当該棒金の当接によって回動自在であり、当該移行時に当該棒金に対して下段方向に加重する吊架押付部を備える所定数の棒金移行部と、
を有することを特徴とするフィルム包装硬貨供給装置。
【発明の詳細な説明】
【技術分野】
【０００１】
本発明は、硬貨が所定枚数フィルム包装された棒金を供給するフィルム包装硬貨供給装置に関する。
【背景技術】
【０００２】
近年、例えば銀行等の金融機関では、硬貨が所定枚数フィルム包装された棒金より一旦硬貨を取り出し、これを計数して再度所定枚数フィルム包装することが行われている。このような棒金より硬貨を取り出すために当該棒金を滞りなく確実に供給する必要がある。
【０００３】
従来、棒金を供給する装置に近似した技術として特許文献１に記載されているような装置が知られている。特許文献１には、金属成形機の棒状材料搬送供給装置に関して、材料ストック部を、材料長さに対応した横幅の立方体形のフレームと、フレーム内につづら折りに斜設した複数段の床板の上側コーナを前後交互に開口し、最上段の床板の後端開口を材料投入口として多数本の丸棒材料Ｍを各床板上に横に並べてストックできる傾斜床とにより構成させることが記載されている（同公報の図１０参照）。
【先行技術文献】
【特許文献】
【０００４】
【特許文献１】特開２０１０−２４７２０３号公報
【発明の概要】
【発明が解決しようとする課題】
【０００５】
上記特許文献１に記載されている装置は、所定の傾斜床から次段の傾斜床に移行する部分に湾曲状の材料投入口が配置されて丸棒材料を次段の傾斜床に搬送移行させるものであるが、特に全部の傾斜床に丸棒材料をストックさせ、一個ずつ搬送させる際に当該材料投入口が湾曲状とされていても留まってしまい、次段の傾斜床に移行されない場合があるという問題があり、このような装置を棒金供給に適用させる場合であっても同様の問題を生じる。
【０００６】
そこで、本発明は上記課題に鑑みなされたもので、つづら折り状の傾斜部を使用して棒金を供給するに際して次段の傾斜部に滞りなく確実に移行させるフィルム包装硬貨供給装置を提供することを目的とする。
【課題を解決するための手段】
【０００７】
上記課題を解決するために、請求項１の発明では、硬貨が所定枚数フィルム包装された棒金を次工程に供給するフィルム包装硬貨供給装置であって、つづら折り状に多段で配置される複数の傾斜部と、所定の傾斜部と次段の傾斜部との間にそれぞれ配置されるものであり、前記棒金が上段の傾斜部から下段の傾斜部に移行する位置に、当該棒金の当接によって回動自在であり、当該移行時に当該棒金に対して下段方向に加重する吊架押付部を備える所定数の棒金移行部と、を有する構成とする。
【発明の効果】
【０００８】
請求項１の発明によれば、複数の傾斜部をつづら折り状に多段に配置させ、所定の傾斜部と次段の傾斜部との間にそれぞれ棒金移行部が配置されるものであり、当該棒金移行部が、棒金が上段の傾斜部から下段の傾斜部に移行する位置に、当該棒金の当接によって回動自在であり、当該移行時に当該棒金に対して下段方向に加重する吊架押付部を備える構成とすることにより、つづら折り状の傾斜部を使用して棒金を供給するに際して棒金に対して下段方向に加重することで次段の傾斜部に滞りなく確実に移行させることができるものである。
【図面の簡単な説明】
【０００９】
【図１】本発明に係るフィルム包装硬貨供給装置の構成図である。
【図２】図１のフィルム包装硬貨供給装置で供給される棒金の説明図である。
【図３】図１のフィルム包装硬貨供給装置の棒金供給の説明図である。
【図４】図１のフィルム包装硬貨供給装置の使用される一適用例のフィルム包装硬貨取出装置の概略説明図（１）である
【図５】図１のフィルム包装硬貨供給装置の使用される一適用例のフィルム包装硬貨取出装置の概略説明図（２）である
【図６】図１のフィルム包装硬貨供給装置の使用される一適用例のフィルム包装硬貨取出装置の概略説明図（３）である
【図７】図１のフィルム包装硬貨供給装置の使用される一適用例のフィルム包装硬貨取出装置の概略説明図（４）である
【発明を実施するための形態】
【００１０】
以下、本発明の実施形態を図により説明する。
図１に本発明に係るフィルム包装硬貨供給装置の構成図を示すと共に、図２に図１のフィルム包装硬貨供給装置で供給される棒金の説明図を示す。図１（Ａ）において、フィルム包装硬貨供給装置１０は、傾斜部２１Ａ〜２１Ｄがつづら折り状に配置され、次段の傾斜部との間にそれぞれ棒金移行部２２−１〜２２−３が設けられる。当該傾斜部２１Ａ〜２１Ｄの両側部内側には滑り部材２３が設けられ、後述する棒金３１の斜め転がりを防止する。
【００１１】
棒金移行部２２−１は、図１（Ｂ）、（Ｃ）に示すように、垂直面からカール面を備える移行ガイド部２４Ａの両側にガイド側板２４Ｂ−１，２４Ｂ−２が設けられ、当該ガイド側板２４Ｂ−１，２４Ｂ−２間にシャフト２５が架設される。当該シャフト２５には、吊架押付部２２Ａが回動自在に設けられ、当該吊架押付部２２Ａの移行ガイド部２４Ａ側に重り部２２Ａ−１が設けられる。
【００１２】
上記シャフト２５、吊架押付部２２Ａは、当該吊架押付部２２Ａが傾斜部２１Ａより転がり移動する後述の棒金と当接するように位置される。また、棒金移行部２２−１の移行ガイド部２４Ａのカール面の部分に、弾性部材（例えば樹脂製）の移行補助部材２６が次段の傾斜部側に延出するように設けられる。
【００１３】
なお、棒金移行部２２−２，２２−３は、上記棒金移行部２２−１と同様の構成であり、説明を省略する。
【００１４】
棒金３１は、図２に示すように、硬貨３１Ａが所定枚数（例えば５０枚）をフィルム３１Ｂで包装したものであり、例えば日本国内で流通している硬貨１円、５円、１０円、５０円、１００円、５００円（通常的に流通しない記念硬貨でもよい）を対象としているが、外国硬貨を対象としてもよく、また、遊戯機等で使用されるコインを対象としてもよい。上記棒金供給部１０は、いずれの硬貨の棒金３１に対しても対処することができ、各傾斜部２１Ａ〜２１Ｄをつづら折り状とすることで横スペースを要せずに大量の棒金３１を処理することができるものである。
【００１５】
そこで、図３に、図１のフィルム包装硬貨供給装置の棒金供給の説明図を示す。図３（Ａ）は、図１のフィルム包装硬貨供給装置１０の一部端面を示したもので、最上段の傾斜部２１Ａ上に投入された棒金３１は転がり移動し、棒金移行部２２−１を介して傾斜部２１Ｂに移行し、当該傾斜部２１Ｂを転がり移動し、棒金移行部２２−２を介して傾斜部２１Ｃに移行し、当該傾斜部２１Ｃを転がり移動し、棒金移行部２２−３を介して傾斜部２１Ｄに移行し、当該傾斜部２１Ｄを転がり移動することで供給されることとなる。
【００１６】
そこで、棒金移行部２２−１では、図３（Ｂ）に示すように、傾斜部２１Ａを転がり移動して最下端に来たときに吊架押付部２２Ａと当接し、そのまま当該吊架押付部２２Ａを押し付けて回動させる。これによって、特に１円の棒金３１のように軽く、短い場合に斜め転がりしても当該吊架押付部２２Ａに当接することで傾斜部２１Ａの最下端で並行とさせることができる。そして、棒金３１が傾斜部２１Ａより離脱直前のときから、図３（Ｃ）に示すように、当該棒金３１に対して吊架押付部２２Ａで並行とさせ、重り部２２Ａ−１によって次段の傾斜部２１Ｂ側に加重して落下させる。
【００１７】
当該棒金３１は、図３（Ｄ）に示すように、移行補助部材２６上に落下して当該移行補助部材２６を撓ませ、図３（Ｅ）に示すように、当該移行保持部材２６の復帰力が加わって次段の傾斜部２１Ｂの最上端に移行投入されるものである。なお、棒金移行部２２−２，２２−３においても同様である。
【００１８】
このように、つづら折り状の傾斜部２１Ａ〜２１Ｄを使用して棒金を供給するに際し、棒金３１に対して下段方向に加重することで次段の傾斜部に滞りなく確実に移行させることができるものである。
【００１９】
なお、棒金３１が棒金移行部２２−１〜２２−３に進入するときに、前に投入した棒金３１が存在せずに加速度が加わる場合や、棒金３１の形状変形や曲り、またフィルム３１Ｂに破れや接着不良がある場合によって斜め転がりとなっても上記吊架押付部２２Ａ〜２２Ｃによる下方への加重により次段への移行時をスムーズとさせることができるものである。一方で、各傾斜部２１Ａ〜２１Ｄの両側の内側に設けた滑り部材２３に棒金３１のフィルム３１Ｂが接触して当該棒金３１の斜め転がりの発生を軽減させることができるものである。
【００２０】
また、後述の図４で示すように、各傾斜部２１Ａ〜２１Ｄにできる限りの棒金３１をストックさせる場合には、次段の傾斜部への移行力が弱まることから、特に吊架押付部２２Ａ〜２２Ｃによる下方への加重によって滞りなく確実に移行させることができるものである。
【００２１】
さらに、棒金移行部２２−１〜２２−３に設けられた移行補助部材２６の弾性復帰力により、特に１円の棒金３１のような軽い場合に転がりや移動力を加速させて棒金３１の次段の傾斜部への投入を確実とさせることができるものである。
【００２２】
次に、図４〜図７に、図１のフィルム包装硬貨供給装置の使用される一適用例のフィルム包装硬貨取出装置の概略説明図を示す。図４（Ａ）において、フィルム包装硬貨供給装置１０の最上段の傾斜部２１Ａ上に投入された棒金３１は、当該傾斜部２１Ａ上を転がり、次段の傾斜部２１Ｂに移行する際に吊架押付部２２Ａを回動させ、同様に、投入された棒金３１は、傾斜部２１Ｂ（吊架押付部２２Ｂ）、傾斜部２１Ｃ（吊架押付部２２Ｃ）を転がり、傾斜部２１Ｄより棒金回転搬送部１３に搬送され、ここで待機状態となる。
【００２３】
続いて、順次所望数の棒金３１を最上段の傾斜部２１Ａに投入されると、当該最上段の傾斜部２１Ａから棒金回転搬送部１３で待機状態とされた棒金３１まで連なった状態でストックされる。
【００２４】
そこで、装置電源が投入されて稼働が開始されると、図４（Ｂ）に示すように、回動カッタ１４Ｃが上方に回動され、棒金回転搬送部１３が９０度回転して待機状態とした棒金３１をフィルムカッタ部１４に供給する。この場合、棒金回転搬送部１３では、次の棒金３１がフィルム包装硬貨供給装置１０より転がり落ちて待機状態となり、これに応じて各傾斜部２１Ａ〜２１Ｄ上の棒金３１が一つ分転がり進むこととなる。
【００２５】
その際、上述のように、棒金３１の各傾斜部２１Ａ〜２１Ｃの次段への移行投入は、当該棒金３１が吊架押付部２２Ａを接触状態で回動させることとなり、このときの吊架押付部２２Ａの重り部２２Ａ−１による重さが次段の傾斜部の下方向に加重されて投入を確実とするものである。
【００２６】
フィルムカッタ部１４では、第１棒金回転ローラ１４Ａ−１，１４Ａ−２及び第２棒金ローラ１４Ｂ−１，１４Ｂ−２は、稼働開始時から同方向に回転され、供給された棒金３１は、図４（Ｂ）、（Ｃ）に示すように、第１棒金回転ローラ１４Ａ−１，１４Ａ−２及び第２棒金ローラ１４Ｂ−１，１４Ｂ−２間に載置され、当該棒金３１の略中央部分が棒金回転ローラ１４Ａ−１，１４Ａ−２間及び第２棒金ローラ１４Ｂ−１，１４Ｂ−２間に位置されて回転した状態となる。
【００２７】
このとき、回動カッタ１４Ｃが回動して、その先端の切断刃１４Ｄが第１棒金回転ローラ１４Ａ−１，１４Ａ−２間側（第２棒金ローラ１４Ｂ−１，１４Ｂ−２間側）に降りて当該棒金３１のフィルム３１Ｂの軸方向上の略中央部分をその周囲にわたって切断されることで切断部３１Ｃが形成される。そして、回転軸１４Ｂの回転停止を契機として後述する硬貨取出部１６における棒金押え部６１（押え部６３Ａ、６３Ｂ）の上記それぞれの駆動源での回動に従って棒金移送部１５が回転し、フィルム３１Ｂが切断された棒金３１を、図４（Ｄ）に示すように、棒金移送部１５の棒金受け部１５Ａ上で受け取り、図４（Ｅ）に示すように、そのまま棒金押え部６１側に回転する。
【００２８】
このとき押え部６３Ａ，６３Ｂはカムを介して棒金移送部１５側に回動しており、図５（Ａ）に示すように、当該棒金移送部１５より当該フィルム３１Ｂが切断された棒金３１を受け取り、図５（Ｂ）に示すように、そのまま硬貨取出部１６の第１保持分割ローラ５５Ａ，５５Ｂ及び第２保持分割ローラ５９Ａ，５９Ｂ側に回動することにより、当該棒金３１を第１保持分割ローラ５５Ａ，５５Ｂ及び第２保持分割ローラ５９Ａ，５９Ｂに押し付けて保持させた状態とさせるもので、当該棒金３１のフィルム３１Ｂの切断部３１Ｃが第１保持分割ローラ５５Ａ，５５Ｂ間の部分（第２保持分割ローラ５９Ａ，５９Ｂ間の部分）に位置される。すなわち、この棒金３１の保持状態は、図５（Ｃ）、（Ｄ）に示すように、棒金押え部６１回動力で当該棒金３１を第１保持分割ローラ５５Ａ，５５Ｂ及び第２保持分割ローラ５９Ａ，５９Ｂに押し付けている状態である。
【００２９】
続いて、図６（Ａ）、（Ｂ）に示すように、硬貨取出部１６では、フィルム３１Ｂが切断された棒金３１は、切断部３１Ｃを境に第１分割棒金３１−１が第１保持分割ローラ５５Ａ及び第２保持分割ローラ５９Ａで接触保持された状態であり、第２分割棒金３１−２が第１保持分割ローラ５５Ｂ及び第２保持分割ローラ５９Ｂで接触保持された状態である。
【００３０】
そこで、図６（Ａ）〜（Ｃ）に示すように、硬貨取出部１６の第１保持分割ローラ５５Ａ，５５Ｂ及び第２保持分割ローラ５９Ａ，５９Ｂにより保持された状態で可動側板駆動伝達部５１が、例えば時計方向に回転される。このとき、第１保持ローラ駆動伝達部５３及び第２保持ローラ駆動伝達部５７は非回転状態である。
【００３１】
可動側板駆動伝達部５１を時計方向に回転させると、水平可動側板４１Ａ，４１Ｂが広がるように水平移動することにより、第１分割棒金３１−１を保持したまま第１保持分割ローラ５５Ａ、第２保持分割ローラ５９Ａ及び棒金押え部６１の押え部６３Ａが第１硬貨押出部４５Ａ側に移動し、また、第２分割棒金３１−２を保持したまま第１保持分割ローラ５５Ｂ、第２保持分割ローラ５９Ｂ及び棒金押え部６１の押え部６３Ｂが第２硬貨押出部４５Ｂ側に移動していく。
【００３２】
そして、棒金３１の軸方向上に固定状態で配置された第１硬貨押出部４５Ａが第１分割棒金３１−１の端部から切断部３１Ｃ側に硬貨を押し出し、棒金３１の軸方向上に固定状態で配置された第２硬貨押出部４５Ｂが第２分割棒金３１−２の端部から切断部３１Ｃ側に硬貨を押し出すことにより、個々の硬貨３１Ａが取出硬貨収納部６１に落下して収納される。このとき、硬貨３１Ａが取り出された各フィルム３１Ｂはそれぞれ第１保持分割ローラ５５Ａ，５５Ｂ、第２保持分割ローラ５９Ａ，５９Ｂ及び棒金押え部６１の押え部６３Ａ，６３Ｂにより保持されたままの状態である。
【００３３】
図７（Ａ）に示すように、総ての硬貨３１Ａの取り出し後に、可動側板駆動伝達部５１を反時計方向にさせると、図７（Ｂ）に示すように水平可動側板４１Ａ，４１Ｂが近づくように水平移動して最初の状態に戻った時点で、第１硬貨押出部４５Ａ及び第２硬貨押出部４５Ｂが、硬貨３１Ａが取り出された各フィルム３１Ｂ中より離脱することとなる。
【００３４】
そこで、図７（Ｃ）に示すように、第１保持ローラ駆動伝達部５３及び第２保持ローラ駆動伝達部５７を外側に回転させることで保持されていた各フィルム３１Ｂが、第１保持分割ローラ５５Ａ及び第２保持分割ローラ５９Ａ、第１保持分割ローラ５５Ｂ及び第２保持分割ローラ５９Ｂより外側に排出され、図７（Ｄ）に示すように剥離フィルム収納部７２に収納されるものである。
【産業上の利用可能性】
【００３５】
本発明のフィルム包装硬貨供給装置は、棒金を扱う業種に対する機械製造及び販売、使用の産業に利用可能である。
【符号の説明】
【００３６】
１０                    フィルム包装硬貨供給装置
１１                    フィルム包装硬貨取出装置
１３                    棒金回転搬送部
１３Ａ                  軸部
１３Ｂ                  延出棒
１４                    フィルムカッタ部
１４Ａ，１４Ｂ          回転軸
１４Ａ−１，１４Ａ−２  第１棒金回転ローラ
１４Ｂ−１，１４Ｂ−２  第２棒金回転ローラ
１４Ｃ                  回動カッタ
１４Ｄ                  切断刃
１４Ｅ                  回転中心部
１５                    棒金移送部
１５Ａ                  棒金受け部
１５Ｂ−１，１５Ｂ−２  ギアフランジ
１６                    硬貨取出部
２１Ａ〜２１Ｄ          傾斜部
２２−１〜２２−３      棒金移行部
２２Ａ〜２２Ｃ          吊架押付部
２２Ａ−１              重り部
２３                    滑り部材
２４Ａ                  移行ガイド部
２４Ｂ−１，２４Ｂ−２  ガイド側板
２５                    シャフト
２６                    移行補助部材
３１                    棒金
３１Ａ                  硬貨
３１Ｂ                  フィルム
３１Ｃ                  切断部
３１−１                第１分割棒金
３１−２                第２分割棒金
４１Ａ，４１Ｂ          水平可動側板
４２                    可動側板駆動部
４３                    第１保持ローラ部
４４                    第２保持ローラ部
４５Ａ                  第１硬貨押出部
４５Ｂ                  第２硬貨押出部
５１                    可動側板駆動伝達部
５２                    ボールネジ
５２Ａ−１，５２Ｂ−１  取付部
５２Ａ−２，５２Ｂ−２  ボールネジ係合部
５３                    第１保持ローラ駆動伝達部
５４                    第１摺動自在回転軸
５５Ａ，５５Ｂ          第１保持分割ローラ
５６Ａ．５６Ｂ          第１取付部
５７                    第２保持ローラ駆動伝達部
５８                    第２摺動自在回転軸
５９Ａ，５９Ｂ          第２保持分割ローラ
６０Ａ，６０Ｂ          第２取付部
６１                    棒金押え部
６１Ａ，６１Ｂ          駆動伝達部
６２Ａ，６２Ｂ          回転シャフト
６３Ａ，６３Ｂ          押え部
６４Ａ，６４Ｂ          取付部
７１                    取出硬貨収納部
７２                    剥離フィルム収納部
【図１】
2018097452.tif 000003
【図２】
2018097452.tif 000004
【図３】
2018097452.tif 000005
【図４】
2018097452.tif 000006
【図５】
2018097452.tif 000007
【図６】
2018097452.tif 000008
【図７】
2018097452.tif 000009